【手続補正書】
【提出日】平成23年1月20日(2011.1.20)
【手続補正１】
【補正対象書類名】特許請求の範囲
【補正対象項目名】全文
【補正方法】変更
【補正の内容】
【特許請求の範囲】
【請求項１】
基板上に各画素に対応してスイッチング素子を備えた表示領域を有する表示装置であって、
第１の光センサを備えた第１の光検出部と、第２の光センサを備えた第２の光検出部と、光センサ読み取り部とを有し、前記第１の光検出部と前記第２の光検出部とで検出した光量を光量信号として出力する光量検出装置と、
平面視で、前記第１の光センサ、又は前記第２の光センサの少なくとも一方に重なる領域に形成され、前記第１の光センサ、及び前記第２の光センサへの入射光量を異ならせる減光手段と、を備え、
前記第１の光検出部は、前記第１の光センサに入射された入射光に基づく第１の出力信号を前記光センサ読み取り部に出力する第１の光検出回路を有し、
前記第２の光検出部は、前記第２の光センサに入射された入射光に基づく第２の出力信号を前記光センサ読み取り部に出力する第２の光検出回路を有し、
前記光センサ読み取り部は、
前記第１の出力信号と前記第２の出力信号との比率である測定比率を演算し、前記測定比率と、あらかじめ測定された初期状態の前記測定比率である初期比率と、の比率である光劣化補正係数を演算する劣化係数演算部と、
前記光劣化補正係数に基づいて、前記第１、又は第２の出力信号の光劣化率を導出する光劣化率演算部と、
前記光劣化率に基づいて前記第１、又は第２の出力信号を初期状態の光量信号となるよ
うに補正して出力する光信号出力部と、を備えている表示装置。
【請求項２】
請求項１に記載の表示装置において、
前記減光手段は、
前記第１の光センサに入射する光量を低減させる第１の減光手段と、
前記第２の光センサに入射する光量を低減させる第２の減光手段と、を有し、
前記第２の減光手段による入射光の低減率は、前記第１の減光手段による入射光の低減率より大きい表示装置。
【請求項３】
請求項２に記載の表示装置において、
前記第１の減光手段と前記第２の減光手段とは、相対分光透過率が等しい表示装置。
【請求項４】
請求項１に記載の表示装置において、
前記減光手段は、前記第１の光センサ、又は前記第２の光センサに入射する光の一部を遮光する遮光部材を有している表示装置。
【請求項５】
請求項４に記載の表示装置において、
前記減光手段は、前記第１の光センサ、又は前記第２の光センサに入射する光を減光する減光部材と前記遮光部材とを有している表示装置。
【請求項６】
請求項１乃至請求項５のいずれか一項に記載の表示装置において、
前記光劣化率演算部は、前記光劣化補正係数と前記光劣化率とを対応させたルックアップテーブルを備えている表示装置。
【請求項７】
請求項６に記載の表示装置において、
前記光劣化率演算部は、前記光劣化補正係数が前記ルックアップテーブルに含まれない場合に、前記ルックアップテーブル上の前記光劣化補正係数を用いた補間計算により前記光劣化率を導出する表示装置。
【請求項８】
請求項１乃至請求項７のいずれか一項に記載の表示装置において、
前記第１の光センサ、及び前記第２の光センサが薄膜トランジスタであり、前記薄膜トランジスタの両端に印加する電圧を充電するコンデンサを有している表示装置。
【請求項９】
請求項８に記載の表示装置において、
前記第１及び第２の出力信号は、光電流量又は前記コンデンサへの電荷の充放電による
電圧降下時間により求められている表示装置。
【請求項１０】
請求項１乃至請求項９のいずれか一項に記載の表示装置において、
前記劣化係数演算部は、前記第１及び第２の出力信号を対数変換して前記光劣化補正係数を演算し、
前記光劣化率演算部は、対数の前記光劣化補正係数と対数の前記光劣化率とを対応させた前記ルックアップテーブルを参照して、前記劣化係数演算部から出力された前記対数の光劣化補正係数から前記対数の光劣化率を取得し、
前記光信号出力部は、前記対数の光劣化率で対数の前記第１、又は第２の出力信号を補正した後に、補正された前記対数の第１、又は第２の出力信号を実数に戻して出力する表示装置。
【請求項１１】
請求項１乃至請求項１０のいずれか一項に記載の表示装置において、
前記表示領域に電気光学物質層を備えている表示装置。
【請求項１２】
請求項１乃至請求項５のいずれか一項に記載の表示装置において、
前記第１の光検出部と前記第２の光検出部は、それぞれ前記表示領域の外周縁に沿って少なくとも１辺に並列に配置される表示装置。
【請求項１３】
請求項１乃至請求項５のいずれか一項に記載の表示装置において、
前記第１の光検出部と前記第２の光検出部は、それぞれ前記表示領域の外周縁に沿って少なくとも１辺に交互に配置される表示装置。
【請求項１４】
請求項１乃至請求項５のいずれか一項に記載の表示装置において、
前記第１の光検出部と前記第２の光検出部は前記画素内の一部分に配設されている表示装置。
【請求項１５】
請求項１２乃至請求項１４のいずれか一項に記載の表示装置において、
前記第１の光センサの大きさの合計と、前記第２の光センサの大きさの合計は等しい表示装置。
【請求項１６】
請求項１乃至請求項１５のいずれか一項に記載の表示装置において、
前記減光手段はカラーフィルタあるいは偏光板あるいは位相差板である表示装置。
【請求項１７】
請求項４乃至請求項１５のいずれか一項に記載の表示装置において、
前記遮光部材はブラックマトリクスである表示装置。
【請求項１８】
第１の光センサと、前記第１の光センサとは入射光量が異なる第２の光センサと、光センサ読み取り部と、光信号出力部とを有し、
前記光センサ読み取り部は、
前記第１の光センサに入射された入射光に基づく第１の出力信号と前記第２の光センサに入射された入射光に基づく第２の出力信号との比率である測定比率を演算し、前記測定比率と、初期状態の前記測定比率である初期比率とに基づいて、前記第１、又は第２の出力信号の光劣化率を導出するルックアップテーブルを備え、
前記光信号出力部は、
前記光劣化率に基づいて前記第１、又は第２の出力信号を補正して出力する表示装置。
【手続補正２】
【補正対象書類名】明細書
【補正対象項目名】０００６
【補正方法】変更
【補正の内容】
【０００６】
［適用例１］本適用例の表示装置は、基板上に各画素に対応してスイッチング素子を備えた表示領域を有する表示装置であって、第１の光センサを備えた第１の光検出部と、第２の光センサを備えた第２の光検出部と、光センサ読み取り部とを有し、前記第１の光検出部と前記第２の光検出部とで検出した光量を光量信号として出力する光量検出装置と、平面視で、前記第１の光センサ、又は前記第２の光センサの少なくとも一方に重なる領域に形成され、前記第１の光センサ、及び前記第２の光センサへの入射光量を異ならせる減光手段と、を備え、前記第１の光検出部は、前記第１の光センサに入射された入射光に基づく第１の出力信号を前記光センサ読み取り部に出力する第１の光検出回路を有し、前記
第２の光検出部は、前記第２の光センサに入射された入射光に基づく第２の出力信号を前記光センサ読み取り部に出力する第２の光検出回路を有し、前記光センサ読み取り部は、前記第１の出力信号と前記第２の出力信号との比率である測定比率を演算し、前記測定比率と、あらかじめ測定された初期状態の前記測定比率である初期比率と、の比率である光劣化補正係数を演算する劣化係数演算部と、前記光劣化補正係数に基づいて、前記第１、又は第２の出力信号の光劣化率を導出する光劣化率演算部と、前記光劣化率に基づいて前記第１、又は第２の出力信号を初期状態の光量信号となるように補正して出力する光信号出力部と、を備えている。
これにより、第１及び第２の出力信号とあらかじめ用意された初期比率とから初期状態の第１又は第２の出力信号を算出することができるので、第１及び第２の光センサの構造に変更を加えることなく感度補正機能を備えた表示装置を実現することができる。
また第１及び第２の光センサの製造プロセスは、表示装置の駆動トランジスタと製造プロセスを共通化できるので、第１及び第２の光センサを簡便な工程で製造することが可能である。したがって、製造コストを低減することができる。
【手続補正３】
【補正対象書類名】明細書
【補正対象項目名】０００７
【補正方法】変更
【補正の内容】
【０００７】
［適用例２］上記表示装置において、前記減光手段は前記第１の光センサに入射する光量を低減させる第１の減光手段と、前記第２の光センサに入射する光量を低減させる第２の減光手段と、を有し、前記第２の減光手段による入射光の低減率は、前記第１の減光手段による入射光の低減率より大きいことが好ましい。
これにより、第１の光センサ、及び第２の光センサに入射する光量を減らすことができるため、それぞれの光センサの光劣化速度を遅らせることができる。このため、それぞれの光センサの光劣化が進み、第１の出力信号と第２の出力信号との比率が変化しなくなることによって生じる補正が十分にできなくなるまでの時間を延ばすことが可能となる。従って、本構成によれば、補正寿命を延ばすことが可能な表示装置を提供することができる。
【手続補正４】
【補正対象書類名】明細書
【補正対象項目名】００１５
【補正方法】変更
【補正の内容】
【００１５】
［適用例１０］上記表示装置において、前記劣化係数演算部は、前記第１及び第２の出力信号を対数変換して前記光劣化補正係数を演算し、前記光劣化率演算部は、対数の前記光劣化補正係数と対数の前記光劣化率とを対応させた前記ルックアップテーブルを参照して、前記劣化係数演算部から出力された前記対数の光劣化補正係数から前記対数の光劣化率を取得し、前記光信号出力部は、前記対数の光劣化率で対数の前記第１、又は第２の出力信号を補正した後に、補正された前記対数の第１、又は第２の出力信号を実数に戻して出力することが好ましい。
これにより、光センサ読み取り部における乗算及び除算回路を、加算及び減算回路に代えることができるので、回路規模を縮小し消費電力を抑えた表示装置を提供することができる。またこれにより、製造コストを低減することができる。
【手続補正５】
【補正対象書類名】明細書
【補正対象項目名】００２２
【補正方法】変更
【補正の内容】
【００２２】
［適用例１７］上記表示装置において、前記遮光部材はブラックマトリクスであることが好ましい。
これにより、遮光部材としてのブラックマトリクスの形成が、通常表示装置に備えられているブラックマトリクスと製造プロセスを共通化できるので、遮光部材を簡便な工程で製造することが可能である。従って、製造コストを低減することができる。
［適用例１８］本適用例の表示装置は、第１の光センサと、前記第１の光センサとは入射光量が異なる第２の光センサと、光センサ読み取り部と、光信号出力部とを有し、前記光センサ読み取り部は、前記第１の光センサに入射された入射光に基づく第１の出力信号と前記第２の光センサに入射された入射光に基づく第２の出力信号との比率である測定比率を演算し、前記測定比率と、初期状態の前記測定比率である初期比率とに基づいて、前記第１、又は第２の出力信号の光劣化率を導出するルックアップテーブルを備え、前記光信号出力部は、前記光劣化率に基づいて前記第１、又は第２の出力信号を補正して出力する。